(57)【要約】【課題】使用者が効率よく清掃することができる掃除機用台車およびそれを備えた電気掃除機を提供すること。【解決手段】車輪およびハンドルを有する台車部と、床面との間に隙間を有するように前記台車部の前端に取り付けられた吸込口部とを備え、  前記吸込口部は、吸込口を有する吸込口本体部と、この吸込口本体部に連結された接続パイプ部とを有してなり、  パイプ差込部および電動送風機を有する掃除機本体を前記台車部上に設置し、かつ前記掃除機本体の前記パイプ差込部を前記吸込口部の前記接続パイプ部に接続することにより電気掃除機を構成可能とする掃除機用台車。【選択図】図４
2014097227.tif 000002
【特許請求の範囲】
【請求項１】
車輪およびハンドルを有する台車部と、床面との間に隙間を有するように前記台車部の前端に取り付けられた吸込口部とを備え、
前記吸込口部は、吸込口を有する吸込口本体部と、この吸込口本体部に連結された接続パイプ部とを有してなり、
パイプ差込部および電動送風機を有する掃除機本体を前記台車部上に設置し、かつ前記掃除機本体の前記パイプ差込部を前記吸込口部の前記接続パイプ部に接続することにより電気掃除機を構成可能とする掃除機用台車。
【請求項２】
前記吸込口部が上下方向に移動可能に前記台車部に取り付けられている請求項１に記載の掃除機用台車。
【請求項３】
前記台車部が、その後端に上方へ延びる支持部を有している請求項１または２に記載の掃除機用台車。
【請求項４】
前記台車部が、蓄電池と、交流電流を直流電流に変換して前記蓄電池に充電する充電器とから構成されている蓄電部を有している請求項１〜３のいずれか１つに記載の掃除機用台車。
【請求項５】
請求項１〜４のいずれか１つに記載の掃除機用台車と、電動送風機および蓄電部を有する掃除機本体とを備えた電気掃除機。
【発明の詳細な説明】
【技術分野】
【０００１】
本発明は、掃除機用台車およびそれを備えた電気掃除機に関する。
【背景技術】
【０００２】
充電型のコードレス掃除機として、電動送風機および蓄電池を内蔵する掃除機本体と、下面に車輪を有する吸込口体と、掃除機本体と吸込口体とを接続する吸気管と、掃除機本体に接続された棒状のハンドルと、ハンドルに設けられて電動送風機のＯＮ・ＯＦＦや吸引力を操作する操作部とを備えたものが提案されている（例えば、特許文献１参照）。
【０００３】
コードレス掃除機は、ＡＣ電源の代わりに蓄電池を電源として備えているため、蓄電池に予め充電した電力を使って掃除を行うことができると共に、掃除終了後は充電台に設置されて蓄電池に充電を行うことができる。
【０００４】
コードレス掃除機は、蓄電池に蓄えた少ない電力で掃除しなければならず、吸込口体と掃除機本体との間の吸気管が長いと圧力損失が大きくなって吸い込み能力を損なうため、吸気管の長さは短くされている。
【先行技術文献】
【特許文献】
【０００５】
【特許文献１】特開２００９−５０６０４号公報
【発明の概要】
【発明が解決しようとする課題】
【０００６】
コードレス掃除機による床面上の清掃は、使用者がハンドルを傾けた状態で吸込口体を前後に移動させ、吸込口体の吸込口から床面上の塵埃を空気と共に吸い込むことにより行われる。このとき、ハンドルの下方には重量物である掃除機本体が配置されているため、コードレス掃除機のハンドルを支えながらの床面清掃は、使用者の肩や腰に負担が掛かる。また、コードレス掃除機やキャニスタータイプの掃除機にて床面上を清掃する際、使用者は前傾姿勢となることが多く、それにより使用者の腰に負担が掛かる。よって、従来の電気掃除機による清掃は使用者にとって重労働であった。特に、高齢者にとっては負担が大きくなり、清掃作業に影響がでることになる。
【０００７】
また、使用者が前傾姿勢となって掃除すると、吸込口体を床面に押さえ付ける力が加わるため、吸込口体と床面との間の隙間が小さくなる。そのため、床面上の塵埃を含む空気が吸込口へ吸引され難くなり、効率のよい清掃が行うことができない場合があった。
また、絨毯の上を清掃する場合、吸込口と絨毯との間はほとんど隙間がなくなり、毛足の長い絨毯の清掃では吸込口が絨毯にて塞がれてしまう。そのため、絨毯上の塵埃を含む空気が吸込口へ吸引され難くなり、効率のよい清掃が行うことができなかった。それに加え、吸込口が絨毯に吸い付くことにより走行抵抗が大きくなり、それによってハンドル操作が重くなり扱い難くなるという不具合もあった。
【０００８】
本発明は、斯かる事情に鑑みてなされたものであり、使用者が効率よく清掃することができる掃除機用台車およびそれを備えた電気掃除機を提供することを目的とする。
【課題を解決するための手段】
【０００９】
かくして、本発明によれば、車輪およびハンドルを有する台車部と、床面との間に隙間を有するように前記台車部の前端に取り付けられた吸込口部とを備え、
前記吸込口部は、吸込口を有する吸込口本体部と、前記吸込口本体部に連結された接続パイプ部とを有してなり、
パイプ差込部および電動送風機を有する掃除機本体を前記台車部上に設置し、かつ前記掃除機本体の前記パイプ差込部を前記吸込口部の前記接続パイプ部に接続することにより電気掃除機を構成可能とする掃除機用台車が提供される。
【００１０】
また、本発明の別の観点によれば、前記掃除機用台車と、電動送風機および蓄電部を有する掃除機本体とを備えた電気掃除機が提供される。
【発明の効果】
【００１１】
第一に、充電型コードレス掃除機の掃除機本体を本発明の掃除機用台車の台車部上に設置し、かつ掃除機本体の差込口を吸込口部の接続パイプ部に接続することにより、掃除機本体に電力を供給するための商用電源（コンセント）の位置および商用電源に接続するプラグを有する電気コードによる移動の制限を受けることなく室内を清掃することが可能となる（効果１）。
【００１２】
第二に、重量物である掃除機本体を台車部に設置することができるため、使用者は台車部のハンドルを持って軽い力でかつ楽な姿勢で効率よく清掃することが可能となる。よって、本発明の掃除機用台車は、特に、電気掃除機を用いて高齢者が負担なく楽に清掃できる清掃補助器具として好適である（効果２）。
【００１３】
第三に、長いホースを介することなく掃除機本体と吸込口本体部とを短い距離で接続することができるため、清掃時の圧力損失を小さく抑えることができる。この結果、充電型掃除機本体内の蓄電池による電力でも十分な吸引力を発揮することが可能となる（効果３）。
【００１４】
第四に、床面との間に隙間を有するように吸込口部が台車部に取り付けられているため、吸込口と床面との間の距離を吸込効率が最も高い距離に設定することができ、少ない電力でも効率よく清掃することが可能となる（効果４）。
【００１５】
第五に、台車の車輪に直径の大きなものを用いれば、毛足の長い絨毯上を清掃する場合でも車輪が絨毯に沈み込み難くなるため、吸込口が絨毯にて塞がれ難くなる。そのため、毛足の長い絨毯でも高い吸込効率による清掃を行うことが可能となる（効果５）。
【図面の簡単な説明】
【００１６】
【図１】本発明の掃除機用台車の実施形態１を示す斜視図である。
【図２】実施形態１の掃除機用台車における吸込口部の台車部への取付構造を説明する正面から見た部分断面図である。
【図３】実施形態１の掃除機用台車における吸込口部の内部構造を示す左側面から見た部分断面図である。
【図４】実施形態１の掃除機用台車と掃除機本体とを備えた電気掃除を示す斜視図である。
【図５】図４で示された電気掃除機の構成図である。
【図６】図４で示された電気掃除機の使用状態を説明する図である。
【図７】実施形態２の掃除機用台車と掃除機本体とを備えた電気掃除を示す斜視図である。
【図８】図７で示された電気掃除機の構成図である。
【図９】実施形態２の掃除機用台車における吸込口部の台車部への取付構造を説明する左側面から見た部分断面図である。
【発明を実施するための形態】
【００１７】
（実施形態１）
図１は本発明の掃除機用台車の実施形態１を示す斜視図であり、図２は実施形態１の掃除機用台車における吸込口部の台車部への取付構造を説明する正面から見た部分断面図であり、図３は実施形態１の掃除機用台車における吸込口部の内部構造を示す左側面から見た部分断面図である。また、図４は実施形態１の掃除機用台車と掃除機本体とを備えた電気掃除を示す斜視図であり、図５は図４で示された電気掃除機の構成図である。
【００１８】
本発明の実施形態１の掃除機用台車Ｃ１は、台車部１０と、床面Ｆとの間に隙間を有するように台車部１０の前端に取り付けられた吸込口部２０とを備え、図４に示すように、掃除機本体ＣＭ１との組み合わせによりアップライト型の電気掃除機ＳＣ１を構成することができる。
【００１９】
台車部１０は、複数の車輪を有する台車本体部１１と、台車本体部１１の後端に設けられた上方へ延びる支持部１２と、支持部１２の上端にヒンジ部１５を介して上下方向（矢印Ａ方向）に揺動可能に取り付けられたハンドル１３とを備える。
【００２０】
実施形態１の場合、台車本体部１１は前面が開口した箱形に形成されており、左右側面に左右一対の前輪１４ａが設けられると共に、底面の後端側に首振り可能な左右一対のキャスタ１４ｂが設けられている。また、台車本体部１１の前方開口部には左右壁の間にストッパ棒１１ａが設けられている。また、台車本体部１１の上壁前端には吸込口部２０の取付部１１Ａが設けられている。
【００２１】
取付部１１Ａは、台車本体部１１の上壁前端に形成された切欠き部１１Ａ1と、台車本体部１１の上壁前端における切欠き部１１Ａ1の左右位置に設けられた軸支部１１Ａ2とを有する。左右の軸支部１１Ａ2は、切欠き部１１Ａ1の左右内面に形成された孔であり、これら左右一対の孔に、接続パイプ部２２の後述する取付部材２３の左右一対の軸部２３ａが回転可能に嵌め込まれる。このとき、左右の軸支部１１Ａ2は、ストッパ棒１１ａのほぼ真上に配置される。
【００２２】
本実施形態の場合、台車本体部１１の切欠き部１１Ａ1の左右両側部分の上壁は上板部１１Ｗ1と下板部１１Ｗ2との二重構造となっている。そして、上板部１１Ｗ1の下面と下板部１１Ｗ2の上面に断面半円形の溝を形成することにより、左右一対の孔（軸支部１１Ａ2）が形成されている。なお、上板部１１Ｗ1は下板部１１Ｗ2にネジＮにて着脱可能に取り付けられている。
【００２３】
吸込口部２０は、吸込口２１ａおよび回転ブラシ２１ｂを有する吸込口本体部２１と、この吸込口本体部２１に連結された接続パイプ部２２と、接続パイプ部２２を取付部１１Ａに取り付ける取付部材２３とを有する。
【００２４】
吸込口本体部２１は、回転ブラシ２１ｂおよびその駆動モータ２１ｍ（図５参照）を内蔵すると共に、下面側に吸込口２１ａを有する筐体２１Ａを備える。この筐体２１Ａは、上面側に前方から後方へ向かうにつれて下傾する傾斜面部２１ｃを有し、傾斜面部２１ｃに接続パイプ部２２と接続する接続孔が形成されている。なお、接続パイプ部２２の下端に外鍔２２ａが設けられることにより、接続パイプ部２２が接続孔から抜け止めされている。
【００２５】
また、筐体２１Ａの傾斜面部２１ｃの下方には通気孔を有するリブ２１ｄが設けられると共に、通気孔周囲のリブ２１ｄ上に弾性部材２１ｅが設けられている。この弾性部材２１ｅにより、吸込口本体部２１は接続パイプ部２２に対して接続パイプ部２２の長手方向に若干動くことができる。なお、本実施形態の場合、弾性部材２１ｅとしてリング形のスポンジを用いているが、圧縮バネを用いてもよい。
【００２６】
接続パイプ部２２は、後述する掃除機本体ＣＭ１のパイプ差込部５１のコネクタ部５１ａと電気的に接続するコネクタ部２２ｃを上端に有すると共に、接続パイプ部２２のコネクタ部２２ｃと吸込口本体部２１の駆動モータ２１ｍとを電気的に接続する電気配線２２ｂとを有している（図５参照）。
【００２７】
取付部材２３は、接続パイプ部２２に対して垂直方向に突出する左右一対の軸部２３ａを有し、接続パイプ部２２の上端外周面を保持するリング状部材である。本実施形態の場合、取付部材２３は、左右一対の軸部２３ａを有するリング状部材を二等分した一対の半割体２３Ａ、２３Ｂからなる。
【００２８】
台車本体部１１に取り付けられた吸込口部２０は、取付部材２３の左右一対の軸部２３ａを中心に上下方向（矢印Ｂ方向）に揺動可能である（図１参照）。吸込口本体部２１を下方へ降ろした状態において、接続パイプ部２２はストッパ棒１１ａに当接しており、これにより接続パイプ部２２は床面Ｆに対して所定角度での傾斜状態に維持される。このとき、吸込口本体部２１の吸込口２１ａが床面Ｆとの間に所定の間隙Ｇをもって平行に配置される（図３参照）。この所定の間隙Ｇは、吸込効率が最も高い間隙に設定されるのが好ましい。
【００２９】
また、吸込口本体部２１を揺動させて上方へ持ち上げることにより、電気掃除機を片づけるときなどに吸込口本体部２１を室内の家具や壁等に衝突させることなく掃除機用台車Ｃ１をスムーズに移動させることができる。このとき、接続パイプ部２２が切欠き部１１Ａ1に当接するまで揺動させ、接続パイプ部２２を支持部１２側へ傾斜させた状態に維持することができる。また、吸込口２１ａを上方に開口させることで回転ブラシ２１ｂおよびその周辺のメンテナンスが容易となる。
【００３０】
パイプ差込部５１および電動送風機５２を有する掃除機本体ＣＭ１を前述構成の掃除機用台車Ｃ１の台車部１０上に設置し、かつ掃除機本体ＣＭ１のパイプ差込部５１を吸込口部２１の接続パイプ部２２に接続することにより、アップライト型の電気掃除機ＳＣ１が構成される。なお、掃除機本体ＣＭ１をがたつかせず安定させるために、台車部１０と掃除機本体ＣＭ１との間にクッション６０を置いてもよい。さらに、図示省略するが、掃除機本体ＣＭ１をベルトにて台車部１０の支持部１２に固定してもよい。
【００３１】
掃除機本体ＣＭ１は、その筐体内部に設けられた電動送風機５２および蓄電部５３と、筐体に対して着脱可能なサイクロン式集塵ボックス５５とを備える。また、掃除機本体ＣＭ１は、その筐体上面に設けられた操作部５４と、筐体後部に設けられた排気口５６と、図示しない雄型接続部とを備える。
操作部５４は、例えば、掃除機本体ＣＭ１のＯＮ／ＯＦＦを切り替える電源スイッチと、電動送風機５２による吸引力を複数段階に切り替えるパワー調節スイッチとを有する。
【００３２】
蓄電部５３は蓄電池および充電器を有してなる。この充電器は、室内の商用電源から供給される交流電流を直流電流に変換し、かつ所定電圧まで低下させ、所定電圧の直流電流を蓄電池に充電するものである。掃除機本体ＭＣ１を充電する際は、図示しない電気コードの一端に設けられたプラグを室内の商用電源に接続し、この電気コードの他端に設けられた雌型接続部を掃除機本体ＣＭ１の雄型接続部に接続する。これにより、商用電源を有する様々な部屋での電気掃除機ＳＣ１の充電が可能となる。
【００３３】
図６は図４で示された電気掃除機の使用状態を説明する図である。図６に示すように、この電気掃除機ＳＣ１により室内を清掃する際は、まず、掃除機本体ＣＭ１の電源スイッチをＯＦＦからＯＮに切り替える。これにより、電動送風機５２および回転ブラシ２１ｂが駆動し、吸込口部２１の吸込口２１ａに塵埃を含む空気が吸い込まれる。塵埃を含む空気が集塵ボックス５５内に導入されると、塵埃と空気に分離され、塵埃は集塵ボックス５５内に溜まり、塵埃を含まない空気が排気口５６から外部へ放出される。
【００３４】
このとき、掃除機本体ＣＭ１から床面Ｆまでの距離が短いため圧力損失が抑制されており、蓄電部５３の充電された電力でも十分な吸込口体力を得ることができる。具体的には、延長ホースを備えたキャニスタータイプの掃除機の使用電力よりも３０％程度少ない電力で同程度の吸引力を実現することができる。
【００３５】
このように掃除機本体ＣＭ１を駆動状態にした後、使用者Ｕはハンドル１３を持って台車部１０を移動させることにより、室内の床面Ｆ上の清掃を行うことができる。このとき、前輪１４ａおよびキャスタ１４ｂを有する台車部１０上に重量物である掃除機本体ＣＭ１を設置していることに加え、吸込口部２０は床面Ｆに接地していないため、使用者Ｕは軽い力で（例えば、指１本でも）ハンドル１３を押し引きして電気掃除機ＳＣ１を移動させることができる。また、使用者Ｕは背筋を伸ばして掃除することができるため、前傾姿勢により肩や腰等に負担をかけることなく楽に効率よく清掃することができ、キャスタ１４ｂによって方向転換も容易である。
【００３６】
また、図３に示すように、吸込口部２０の吸込口本体部２１は床面Ｆに接しておらず、床面Ｆから所定の間隙Ｇをもって台車部１０の前端に吊り下げられている。そのため、吸込口本体部２１の走行抵抗が無いことも軽い力で楽な清掃に寄与している。
また、吸込口本体部２１は床面Ｆから最も吸込効率が高くなる間隙Ｇを形成するため、特に、絨毯上の清掃であっても吸込口本体部２１が絨毯に密着して吸込口２１ａが塞がれることがなく、大きな吸込力によって床面Ｆ上を効率よく清掃することができる。なお、図３において、直線（実線）で示した床面Ｆの上の波線（２点鎖線）は、絨毯の表面を表している。
【００３７】
また、清掃が終了すれば、電気掃除機ＳＣ１を商用電源がある場所まで移動させ、前述のように電気コードの一端に設けられたプラグを室内の商用電源に接続し、この電気コードの他端に設けられた雌型接続部を掃除機本体ＣＭ１の雄型接続部に接続して、蓄電部５３を充電する。よって、この電気掃除機ＳＣ１によれば、特定の場所で充電する必要がないため、清掃後に特定の充電場所まで戻す手間がかからない。なお、充電時は、邪魔にならないようハンドル１３を下方へ揺動させて折り畳むことができる。
【００３８】
（実施形態２）
図７は実施形態２の掃除機用台車と掃除機本体とを備えた電気掃除を示す斜視図であり、図８は図７で示された電気掃除機の構成図である。なお、図７および図８において、図１〜図６中の要素と同様の要素には同一の符号を付している。
【００３９】
実施形態２の掃除機用台車Ｃ２は、台車部１１０が蓄電部１６を備えている。また、実施形態２の電気掃除機ＳＣ２は、台車部１１０の蓄電部１６と掃除機本体ＣＭ２とが電気コード１７によって電気的に接続され、蓄電部１６を掃除機本体ＣＭ２の予備電源として用いることができる。実施形態２におけるその他の構成は、実施形態１と同様である。
実施形態２の電気掃除機ＳＣ２によれば、掃除機本体ＣＭ２の蓄電部５３と台車部１１０の蓄電部１６の両方が電源となるため、大幅な清掃時間の延長を見込むことができる。
【００４０】
（実施形態３）
図９は実施形態２の掃除機用台車における吸込口部の台車部への取付構造を説明する左側面から見た部分断面図である。なお、図９において、図１〜図６中の要素と同様の要素には同一の符号を付している。
実施形態３の掃除機用台車Ｃ３は、吸込口部２２０の接続パイプ部２２２を台車部２１０の台車本体部１１に取り付ける取付部材２２３および取付部２１１Ａの構造以外は、実施形態１と同様である。
【００４１】
実施形態３における取付部材２２３は、実施形態１の取付部材２３と同様の左右一対の軸部２２３ａを有するリング状部材を二等分した一対の半割体を有すると共に、各軸部２３ａの先端に抜け止め用のリング部材２２３ｂが取り付けられる。
【００４２】
実施形態３における取付部２１１Ａは、台車本体部１１の上壁前端に形成された切欠き部１１Ａ1と、台車本体部１１の上壁前端における切欠き部１１Ａ1の左右位置に設けられた軸支部２１１Ａ2とを有する。左右の軸支部２１１Ａ2は、接続パイプ部２２２の上端に取付られた取付部材２２３の左右の軸部２２３ａを挿通させる長孔２１１Ａ3をそれぞれ有する左右一対の取付板からなる。
【００４３】
各軸支部２１１Ａ2の取付板はＬ字形に折れ曲がった板材であり、水平方向に折れ曲がった下部は台車本体部１１の上壁にネジにて固定されると共に、下部よりも上の部分は切欠き部１１Ａ1から垂直方向に立っている。
長孔２１１Ａ3は、後方へ向かうにつれて斜め上方へ傾斜する第１部分２１１Ａ3aと、第１部分２１１Ａ3aの上端から後方へ向かうにつれて斜め下方に傾斜する第２部分２１１Ａ3bとからなるＬ字形の長孔である。
【００４４】
実施形態３の掃除機用台車Ｃ３によれば、吸込口部２２０の左右の軸部２２３ａを左右の軸支部２１１Ａ2の長孔２１１Ａ3の第１部分２１１Ａ3aに沿って引き上げて第２部分２１１Ａ3bに落とし込むことにより、左右の軸部２２３ａが左右の第２部分２１１Ａ3bに引っ掛かる。これにより、吸込口部２２０が斜め後方に引き上げられた状態に維持される。この状態は、掃除機用台車Ｃ３を移動させる際に、吸込口部２２０の吸込口本体部２１が室内の段差部に衝突させないようにするのに有効である。さらに、実施形態３においては、図１で説明したように吸込口部２２０を吸込口本体部２１を上方へ揺動させ、吸込口本体部２１を台車本体部１１の上に乗せた状態とすることができる。この状態は、掃除機用台車Ｃ３を移動させる際に、吸込口本体部２１を室内の家具や壁等に衝突させないようにするのに有効である。
【００４５】
実施形態３では、掃除機用台車Ｃ３と実施形態１で説明した掃除機本体ＣＭ１（図４参照）とを組み合わせて電気掃除機を構成することができる。また、実施形態３では、掃除機本体Ｃ３に蓄電部を設け、かつ実施形態２で説明した掃除機本体ＣＭ２（図７参照）を組み合わせて電気掃除機を構成することもできる。
【００４６】
（他の実施形態）
１．実施形態１および２における掃除機本体ＣＭ１、ＣＭ２をリモートコントロールにより操作するようにしてもよい。この場合、リモートコントロール装置を着脱可能に保持できるホルダをハンドル１３に設けてもよい。
２．実施形態１〜３では、箱形の台車本体部１１を例示したが、台車本体部の骨格をフレーム部材にて組み上げ、フレーム部材に生地を張ることにより台車本体部を作製してもよい。さらに、支持部１２およびハンドル１３をフレーム部材にて作製してもよい。
３．実施形態１および２におけるクッション６０は、台車部１０に予め一体化されたものであってもよい。あるいは、台車本体部１１および支持部１２が、掃除機本体ＣＭ１をぐらつかせずに支持できるよう、掃除機本体ＣＭ１とフィットする形状に形成されてもよい。
【００４７】
４．実施形態１および２における吸込口本体部２１の回転ブラシ２１ｂは、吸引時の風圧によって回転してもよい。これにより、吸込口部２１と掃除機本体ＣＭ１、ＣＭ２とを電気的に接続する電気配線２２ｂが省略でき、吸込口部２０の構造を簡素化することができる。
５．実施形態１および２における掃除機本体ＣＭ１、ＣＭ２は、蓄電部５３に電力を供給するための、室内の商用電源と接続可能なプラグを有する電気コードを備えてもよい。これにより、使用者が電気コードを持ち運ぶ不便さが解消される。
６．実施形態１および２における掃除機本体ＣＭ１、ＣＭ２は、蓄電部５３を有さないものであってもよい。この場合、蓄電部１６を有する掃除機用台車Ｃ２を用いればよい。
【００４８】
（まとめ）
以上のように、本発明の掃除機用台車Ｃ１〜Ｃ３は、車輪１４ａ、１４ｂおよびハンドル１３を有する台車部１０、１１０、２１０と、床面Ｆとの間に隙間Ｇを有するように前記台車部の前端に取り付けられた吸込口部２０、２２０とを備え、
前記吸込口部は、吸込口２１ａを有する吸込口本体部２１と、この吸込口本体部に連結された接続パイプ部２２、２２２とを有してなり、
パイプ差込部５１および電動送風機５２を有する掃除機本体ＣＭ１、ＣＭ２を前記台車部上に設置し、かつ前記掃除機本体の前記パイプ差込部を前記吸込口部の前記接続パイプ部に接続することにより電気掃除機ＳＣ１、ＳＣ２を構成可能とする。
【００４９】
さらに、本発明の掃除機用台車は、次のように構成されてもよい。
（１）前記吸込口部が上下方向に移動可能に前記台車部に取り付けられていてもよい。
このようにすれば、清掃を行わない掃除機用台車の移動時に吸込口本体部を上方へ向けた状態に維持しておくことにより、吸込口本体部を室内の家具や壁等に衝突させることがない。これにより、掃除機用台車をスムーズに移動させることができると共に、吸込口本体部を破損させることがない。
また、吸込口本体部を上方へ向けた状態は、掃除機用台車をコンパクトに保管するのに好都合であると共に、吸込口のメンテナンス（清掃）の容易化に繋がる。
【００５０】
（２）前記台車部が、その後端に上方へ延びる支持部１２を有していてもよい。
このようにすれば、掃除機用台車部と掃除機本体とで電気掃除機を構成する際に、パイプ差込部を吸込口部の接続パイプ部に接続すると共に、掃除機本体を支持部にもたれさせることができる。そのため、掃除機用台車の前後方向の長さを小さくすることができる。
また、掃除機本体を傾けて支持部にもたれさせた状態は、吸込口部の接続パイプ部を傾斜させることに繋がり、掃除機本体の差込口と床面との距離を短縮するのに有利となる。
【００５１】
（３）前記台車部が蓄電部１６を有していてもよい。
このようにすれば、台車部の蓄電部を掃除機本体の電源として使用することが可能となる。したがって、蓄電部を有さない掃除機本体と掃除機用台車とで電気掃除機を構成することが可能となる。また、蓄電部を有する掃除機本体と掃除機用台車とで電気掃除機を構成した場合は、台車部の蓄電部を掃除機本体の予備電源として使用すれば、電気掃除機による清掃可能時間を大幅に延長することが可能となる。
【００５２】
（４）前記台車部の蓄電部が、蓄電池と、交流電流を直流電流に変換して前記蓄電池に充電する充電器とから構成されてもよい。
このようにすれば、室内の商用電源が配置されたあらゆる場所での充電が可能となり、充電器が設置された特定の場所に掃除機用台車を戻して充電する必要がなくなり、利便性が向上する。
なお、充電型掃除機本体の蓄電部も同様に、蓄電池と、交流電流を直流電流に変換して前記蓄電池に充電する充電器とから構成されてもよい。
【００５３】
（５）前記台車部の車輪が、首振り可能なキャスタを含んでもよい。
このようにすれば、掃除機用台車の方向転換が容易となる。この場合、キャスタは台車部の後輪として配置するのが好ましい。
【００５４】
（６）前記吸込口本体部が前記接続パイプ部に対して可動であってもよい。
このようにすれば、清掃時に吸込口本体部を障害物に衝突させたときの吸込口本体部への衝撃を緩和することができ、吸込口本体部の破損を抑制することができる。この場合、例えば、吸込口本体部を接続パイプ部の長手方向に可動とする、吸込口本体部を接続パイプ部に対して首振り可能とする、あるいはこれらを組み合わせることができる。
【００５５】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５６】
１０、１１０、２１０  台車部
１２  支持部
１３  ハンドル
１４ａ、１４ｂ  車輪
１６  蓄電部
２０、２２０  吸込口部
２１ａ  吸込口
２１  吸込口本体部
２２、２２２  接続パイプ部
５１  パイプ差込部
５２  電動送風機
Ｃ１〜Ｃ３  掃除機用台車
ＣＭ１、ＣＭ２  掃除機本体
Ｆ  床面
Ｇ  隙間
ＳＣ１、ＳＣ２  電気掃除機
【図１】
2014097227.tif 000003
【図２】
2014097227.tif 000004
【図３】
2014097227.tif 000005
【図４】
2014097227.tif 000006
【図５】
2014097227.tif 000007
【図６】
2014097227.tif 000008
【図７】
2014097227.tif 000009
【図８】
2014097227.tif 000010
【図９】
2014097227.tif 000011